(57)【要約】【課題】一対の回転体からなる定着装置を有する画像形成装置において、定着装置におけるシートジャムを速やかに検出し、シートジャムに対して速やかに対応することができる画像形成装置を提供する。【解決手段】画像形成装置は、対向する一対の回転体９０，９２を有する定着装置３６と、この定着装置３６の回転体９０，９２間にシートを搬送する搬送路３２と、この搬送路３２にあって定着装置３６の後流側で定着装置３６に対向して配置され、シートＳを検出するシート検出装置１０６とを有する。シート検出装置１０６は、アクチュエータ１０８と検知部１１０とから構成され、シートＳがアクチュエータ１０８に当接して変位すると、検知部１１０によりシートが通過したことを検知する。【選択図】          図１
2004191441.tif 000002
【特許請求の範囲】
【請求項１】
対向する一対の回転体を有する定着装置と、この定着装置の回転体間にシートを搬送する搬送路と、この搬送路にあって前記定着装置の後流側で前記定着装置に対向して配置され、前記シートを検出するシート検出手段とを具備する画像形成装置。
【請求項２】
前記シート検出手段は、シートに当接して変位するアクチュエータと、このアクチュエータの変位を検知する検知部とを有し、前記アクチュエータが前記回転体に対向して配置されている請求項１記載の画像形成装置。
【請求項３】
前記検知部は、前記アクチュエータのシート当接部分よりも前記回転体から離れた位置に配置されてなる請求項２記載の画像形成装置。
【請求項４】
前記検知部を冷却する冷却手段を設けた請求項１乃至３いずれか記載の画像形成装置。
【請求項５】
前記検知部は、前記定着装置からの輻射熱を遮蔽する遮蔽部を有する請求項１乃至４いずれか記載の画像形成装置。
【請求項６】
対向する一対の回転体を有する定着装置と、この定着装置の回転体間にシートを搬送する搬送路と、前記定着装置の後流側でシートを前記回転体から剥離する剥離爪と、この剥離爪の近傍で前記搬送路に配置され、前記シートを検出するシート検出手段とを具備する画像形成装置。
【請求項７】
対向する一対の回転体を有する定着装置と、この定着装置に向けてシートを搬送する搬送手段と、この搬送路にあって前記定着装置の後流側で前記定着装置に対向して配置され、前記シートを検出するシート検出手段と、前記搬送手段により搬送されたシートが所定時間内に前記シート検出手段により検出されたか否かを判定する判定手段と、この判定手段の判定結果、シートが所定時間内に搬送されていないと判定された場合、少なくとも前記定着装置への電源供給を遮断する制御手段とを具備する画像形成装置。
【発明の詳細な説明】
【０００１】
【発明の属する技術分野】
本発明は、電子写真方式の画像形成装置に関するものである。
【０００２】
【従来の技術】この種の画像形成装置として、互いに圧接された一対の回転体からなる定着装置を有するものは周知である。シートは、回転体の間に搬送され、熱と圧力とによりシート上のトナーがシートに定着するようにしてある。このような定着装置においては、２つの回転体でシートを挟持搬送する方式であるため、シートが例えば一方の回転体に巻き付くおそれがある。このため、定着装置の後流側で回転体に当接する剥離爪を設け、この剥離爪によりヒートロールに巻き付こうとするシートを剥離するようにしてある。
【０００３】しかしながら、剥離爪のみでは安全上の見地からは十分ではない場合がある。このため、従来においては、回転体に光反射式のセンサを設け、シートが巻き付いた場合と巻き付かない場合の回転体から反射される光の濃度によりシートが巻き付いたか否かを判断しているものが知られている（特許文献１）。
【０００４】
【特許文献１】特開平７−３１１５１１号公報
【０００５】
【発明が解決しようとする課題】
しかしながら、上記従来例においては、回転体にシートが巻き付いた後のシートを検出するようになっているので、事後処理的な対応しかできず、安全面では不十分な場合があり得る。
【０００６】本発明の目的は、一対の回転体からなる定着装置を有する画像形成装置において、定着装置におけるシートジャムを速やかに検出し、シートジャムに対して速やかに対応することができる画像形成装置を提供することにある。
【０００７】
【課題を解決するための手段】上記目的を達成するため、本発明の第１の特徴とするところは、対向する一対の回転体を有する定着装置と、この定着装置の回転体間にシートを搬送する搬送路と、この搬送路にあって前記定着装置の後流側で前記定着装置に対向して配置され、前記シートを検出するシート検出手段とを具備する画像形成装置にある。シート検出手段を定着装置の後流側の搬送路にあって定着装置に対向配置したので、シートが回転体に巻き付こうとした場合にはシート検出手段によってシート不検出となり、定着装置におけるシートジャムを検出することができる。
【０００８】好適には、前記シート検出手段は、シートに当接して変位するアクチュエータと、このアクチュエータの変位を検知する検知部とを有し、前記アクチュエータが前記回転体に対向して配置されているように構成する。このようにシート検出手段をアクチュエータと検知部に分離することにより、検知部が定着装置からの熱に影響されるのを少なくすることができる。
即ち、検知部が定着装置の近傍にあると、定着装置内部の熱源の影響を受け、温度により検知特性が変化し、高温になると検知部の出力電圧が低下するという傾向があり、固定のスレッシュホールドレベルでは誤検知するという問題があるが、シート検出手段をアクチュエータと検知部に分離することにより、この問題を解決することができる。
【０００９】さらに検知部が定着装置からの熱の影響を少なくするには、前記検知部を前記アクチュエータのシート当接部分よりも前記回転体から離れた位置に配置することが好ましい。
【００１０】また、前記検知部を冷却する冷却手段を設けることが好ましい。冷却手段は、画像形成装置に設けられた冷却ファンから構成することができる。この冷却ファンは、検知部専用のものである必要はなく、電源装置、プロセスカートリッジ、シート等を冷却するものと兼ねることができ、この場合は、検知部に空気を導く空気流路を構成するようにすれば足りる。このように冷却手段を設けることにより、検知部の温度を低く保つことができ、温度上昇による誤作動を防止することができる。また、検知部と定着装置との間を熱的に遮断する断熱材を設けてもよいし、検知部に放熱板を設けるようにすることもできる。
【００１１】定着装置の回転体は、例えばヒータを内蔵したヒートロールとプレッシャーロールとから構成されるが、必ずしもロールである必要はなく適宜ベルトタイプと置換えることが可能である。また、両回転体にヒータを内蔵したものであってもよいし、ヒータは回転体の表面付近に形成したセラミックヒータを用いることもできる。
【００１２】本発明の第２の特徴とするところは、対向する一対の回転体を有する定着装置と、この定着装置の回転体間にシートを搬送する搬送路と、前記定着装置の後流側でシートを前記回転体から剥離する剥離爪と、この剥離爪の近傍で前記搬送路に配置され、前記シートを検出するシート検出手段とを具備する画像形成装置にある。したがって、剥離爪近傍ではシートの姿勢が安定するので、シートの検出位置のばらつきを少なくし、安定してシートを検出することができる。
【００１３】本発明の第３の特徴とするところは、対向する一対の回転体を有する定着装置と、この定着装置に向けてシートを搬送する搬送手段と、この搬送路にあって前記定着装置の後流側で前記定着装置に対向して配置され、前記シートを検出するシート検出手段と、前記搬送手段により搬送されたシートが所定時間内に前記シート検出手段により検出されたか否かを判定する判定手段と、この判定手段の判定結果、シートが所定時間内に搬送されていないと判定された場合、少なくとも前記定着装置への電源供給を遮断する制御手段とを具備する画像形成装置にある。したがって、シートが所定時間内に搬送されていないと判定された場合、少なくとも前記定着装置への電源供給を遮断するので、シートが回転体に巻き付く時には直ちに電源を遮断し、安全性を確保することができるものである。
【００１４】
【発明の実施の形態】次に本発明の実施形態を図面に基づいて説明する。
図１において、本発明の第１の実施形態が示されている。定着装置３６は、一対の回転体、例えばヒータ９６を内蔵したヒートロール９０とプレッシャーロール９２とから構成されており、このヒートロール９０とプレッシャーロール９２とが互いに接触して回転する。トナーが転写されたシートＳは、このヒートロール９０とプレッシャーロール９２との間のニップ部９４に挟まれて通過し、シートＳ上のトナーがシートＳに定着される。
【００１５】シート検出装置１０６は、アクチュエータ１０８と検知部１１０とを有する。アクチュエータ１０８は、定着装置３６の後流側に配置され、例えばシート当接部１１２と被検知部１１６とが連結して構成されている。シート当接部１１２は、回動軸１１４を介して回動自在に支持されていると共に、該シート当接部１１２の先端部分が搬送路３２に臨み、シート当接部１１２の他端付近で被検知部１１６と連結されている。
【００１６】検出部１１０は例えばフォトインターラプタから構成され、アクチュエータ１０８の被検出部１１６の変位を検出する。即ち、図中実線で示す位置にアクチュエータがある場合には、発光素子と受光素子との光の授受が遮断され、図中２点鎖線に示す位置にアクチュエータ１０８が変位した場合には発光素子からの光を受光素子が受けることによりアクチュエータ１０８の変位を検出する。
【００１７】シートＳが定着装置３６のニップ部９４を通過すると、シートＳの先端がアクチュエータ１０８のシート当接部１１２の先端付近に当接し、これによりシート当接部１１２が回動軸１１４を中心として反時計方向に回転され、被検知部１１６が下方に変位されて検知部１１０から外れ、シートＳの先端が定着装置３６を通過したのを検出する。一方、シートＳがヒートロール９０に巻き付く等、ジャムが生じた場合には、シートＳが所定点を通過してから所定時間経過してもアクチュエータ１０８の位置はそのままであり、ジャムが生じたものと判断する。この実施形態によれば、シート検出装置１０６をアクチュエータ１０８と検知部１１０とに分離することにより、検知部１１０をヒートロール９０から離すことができ、ヒートロール９０の熱の影響で誤動作するのを防止することができる。
【００１８】図２において、本発明の第２の実施形態が示されている。この第２の実施形態においては、前述した第１の実施形態と比較すると、第１の実施形態におけるアクチュエータ１０８がシート当接部１１２と被検知部１１６とを別体であったのに対し、この第２の実施形態においてはシート当接部１１２と被検知部１１６とを一体としている。また、画像形成装置には、送風ファン７２が設けられていると共に、通気孔３４が形成されており、この送風ファン７２と通気孔３４により検知部１１０を通過する空気流が形成され、検知部１１０を冷却する冷却手段が構成されている。検知部１１０は、温度が上昇すると誤作動するおそれがあり、検知部１１０を冷却することによりこの誤作動を防止するようにしてある。
【００１９】この第２の実施形態においても第１の実施形態と同様にシートＳが定着装置のニップ部９４を通過すると、シートＳの先端がアクチュエータ１０８のシート当接部１１２に当接し、これにより被検知部１１６が下方に変位されて検知部１１０から外れ、シートＳの先端が定着装置３６を通過したのを検出する。一方、シートＳがヒートロール９０に巻き付く等、ジャムが生じた場合には、シートＳが所定点を通過してから所定時間経過してもアクチュエータ１０８の位置はそのままであり、ジャムが生じたものと判断することができるものである。
【００２０】
【実施例】次に本発明を実際の画像形成装置に適用した実施例について説明する。
図３において、画像形成装置１０は、画像形成装置本体１２を有し、この画像形成装置本体１２内に像形成手段１４が搭載され、この画像形成装置本体１２の上部に後述する排出部１６が設けられていると共に、この画像形成装置本体１２の下部に例えば２段の給紙ユニット１８ａ，１８ｂが配置されている。さらに、画像形成装置本体１２の下方には、オプションとして着脱装着される２段の給紙ユニット１８ｃ，１８ｄが配置されている。
【００２１】それぞれの給紙ユニット１８ａ〜１８ｄは、給紙ユニット本体２０と、シートが収納される給紙カセット２２とを有する。給紙カセット２２は、給紙ユニット本体２０に対して摺動自在に装着され、正面方向（図３の右方向）に引き出される。また、給紙カセット２２の奥端近傍上部にはナジャーロール２４が配置され、このナジャーロール２４の前方にリタードロール２６及びフィードロール２８が配置されている。さらにオプションの給紙ユニット１８ｃ，１８ｄには、それぞれ対をなす送りロール３０が設けられている。
【００２２】搬送路３２は、最下端の給紙ユニット１８ｄのナジャーロール２４から排出口３４までのシート通路であり、この搬送路３２は、画像形成装置本体１２の裏面（図３の左側面）近傍にあって、最下端の給紙ユニット１８ｄの送りロール３０から後述する定着装置３６まで略鉛直に形成されている部分を有する。この搬送路３２の定着装置３６の上流側に後述する転写装置４２と像担持体４４が配置され、さらに転写装置４２と像担持体４４の上流側にレジストロール３８が配置されている。さらに、搬送路３２の排出口３４の近傍には排出ロール４０が配置されている。
【００２３】したがって、給紙ユニット１８ａ〜１８ｄの給紙カセット２２からナジャーロール２４により送り出されたシートは、リタードロール２６びフィードロール２８により捌かれて搬送路３２に導かれ、レジストロール３８により一次停止され、タイミングをとって後述する転写装置４２と像担持体４４との間を通って現像剤像が転写され、この転写されたトナー像が定着装置３６により定着され、排出ロール４０により排出口３４から排出部１６へ排出される。
【００２４】ただし、両面印刷の場合は、反転路に戻される。即ち、搬送路３０の排出ロール４０の手前は２股に別れ、その分かれた部分に切換爪４６が設けられていると共に、分かれた部分からレジストロール３８まで戻る反転路４８が形成されている。この反転路４８には搬送ロール５０ａ〜５０ｃが設けられており、両面印刷の場合には、切換爪４６が反転路４８を開く側に切り換えられ、排出ロール４０に記録媒体の後端手前がかかる時点で排出ロール４０が反転し、記録媒体が反転路４８に導かれ、レジストロール３８、転写装置４２と像担持体４４及び定着装置３６を通って排出口３４から排出部１６へ排出されるものである。
【００２５】排出部１６は、画像形成装置本体に対して回動自在の傾斜部５２を有する。この傾斜部５２は、排出口部分が低く、正面方向（図１の右方向）に向けて徐々に高くなるよう傾斜している。この傾斜部５２は下端を中心に回動自在であるよう画像形成装置本体１２に支持されている。図３において２点鎖線で示すように、傾斜部５２を上方に回転して開いたときには、開放部５４が形成され、この開放部５４を介して後述するプロセスカートリッジ６６が脱着できるようにしてある。
【００２６】像形成手段１４は、例えば電子写真方式のもので、感光体からなる像担持体４４と、この像担持体４４一様帯電する例えば帯電ロールからなる帯電装置５６と、この帯電装置５６により帯電された像担持体４４に、光により潜像を書き込む光書込み装置５８と、この光書込み装置５８により形成された像担持体４４の潜像をトナーにより可視化する現像装置６０と、この現像装置６０によるトナー像を用紙に転写する例えば転写ロールからなる転写装置４２と、像担持体４４に残存するトナーをクリーニングする例えばブレードからなるクリーニング装置６２と、転写装置４２により転写されたシート上のトナー像を用紙に定着させる定着装置３６とから構成されている。光書込み装置５８は例えば走査型のレーザ露光装置からなり、前述した給紙ユニット１８ａ〜１８ｄと平行で画像形成装置本体１２の正面近傍に配置されている。また、現像装置６０は、像担持体４４にトナーを搬送する現像ロール６４を有する。
【００２７】プロセスカートリッジ６６は、像担持体４４、帯電装置５４、現像装置６０及びクリーニング装置６０を一体化したものである。このプロセスカートリッジ６６は、排出部１６の傾斜部５２の直近下方に配置されており、前述したように、傾斜部５２を開いたときに形成される開放部５４を介して脱着される。このプロセスカートリッジ６６と定着装置３６との間には、遮蔽板６８が設けられ、定着装置３６からプロセスカートリッジ６６への輻射熱を遮断するようになっている。
【００２８】第１の送風ファン７０は吸気用であり、前述した光書込み装置５８の上方で斜めに配置されている。また、第２の送風ファン７２は排気用であり、画像形成装置本体１２の裏面側にあって反転路４８の近傍に配置されている。第１の送風ファン７０の上流側には、吸気用ダクト７４が設けられ、画像形成装置本体１２の側面に形成された吸気孔（図示せず）から空気を取入れるようになっている。この吸気孔の近傍には、画像形成装置の各部に電源を供給する電源装置７６が配置され、吸気孔から吸入された空気により電源装置７６及び光書込み装置５８が冷却されるようになっている。第１の送風ファン７０の下流側には、空気ガイド７８が設けられ、この空気ガイド７８により空気を傾斜部５２の内面に向けるようにしてある。傾斜部５２の内面には、多数のリブ８０が形成され、傾斜部５２とプロセスカートリッジ６６との間に空気を導くようになっている。さらに、前述した遮蔽板６８には通気孔８２が形成されていると共に、転写装置４２と定着装置３６との間に設けられた格子状のシートガイド８４が設けられており、この通気孔８２及びのシートガイド８４を介して第２の送風ファン７２に空気が吸引され、画像形成装置本体１２に形成された排気孔８６から排気される。また、前述した排出口３４が通気孔を兼ねており、この排出口３４から吸入された空気が後述する定着装置３６の検知部に導かれ、検知部を冷却するようにしてある。
【００２９】図４及び図５において、定着装置３６の詳細が示されている。定着装置３６は、定着装置本体８８内に一対の回転体であるヒートロール９０とプレッシャーロール９２とが配置され、このヒートロール９０とプレッシャーロール９２とは互いニップ部９４において圧接して回転する。ヒートロール９０内にはランプからなるヒータ９６が配置され、ヒートロール９０を加熱する。ニップ部９４を挟んで上下方向に前述した搬送路３２が構成され、シートが下から上へ搬送される。ニップ部９４の上流側には入口側シュート９８が、ニップ部９２の下流側には出口側シュート１００ａ，１００ｂがそれぞれ配置されている。出口側シュート１００ａ，１００ｂは、ヒートロール９０側とプレッシャーロール９２側とに交互に形成されており、プレッシャーロール９２側の出口シュート１００ａが上方に回動することによりシートを通過させるようになっている。
【００３０】ヒートロール９０にはサーモスタット１０２が接し、このサーモスタット１０２によりヒートロール９０の表面温度が検出される。また、ニップ部９４の後流側近傍には、剥離爪１０４が設けられており、この剥離爪１０４は、ヒートロール９０の表面を傷付けない程度の弱い力でヒートロール９０側に付勢され、該剥離爪１０４の先端がヒートロール９０の表面に圧接し、ヒートロール９０に巻き付こうとするシートを剥がすようになっている。この剥離爪１０４は、後述するシート検出装置１０６の近傍で両側に配置されている。
【００３１】シート検出装置１０６は、ニップ部９４の後流側近傍に配置されている。このシート検出装置１０６は、アクチュエータ１０８と検知部１１０とを有する。
【００３２】図６及び図７にも示すように、アクチュエータ１０８は、略中央に位置して斜めに延びるシート当接部１１２と、このシート当接部１１２が固定された回動軸１１４と、シート当接部１１２から後方に延びる被検知部１１６と、シート当接部１１２から左右に延びる遮蔽部１１８ａ，１１８ｂとを有する。シート当接部１１２は、出口側シュート１００ａ，１００ｂと略同位置に配置されている。回動軸１１４は、出口側シュート１００ｂに設けられた軸受け部１２０ａ，１２０ｂに該回動軸１１４の両側で回動自在に支持されている。また、この回動軸１１４の一端には、定着装置本体８８との間に弾性部材１２２が設けられており、シート当接部１１２が搬送路３２を閉じるようにアクチュエータ１０８を付勢している。また、回動軸１１４にはストッパ１２４が設けられ、このストッパ１２４によりシート当接部１１２の位置決めがなされている。遮蔽部１１８ａ，１１８ｂは、ヒートロール９０と検知部１１０との間に介在され、ヒートロール９０から検知部１１０への輻射熱を遮断する。
【００３３】検知部１１０は、定着装置本体８８に設けられたフォトインターラプタから構成され、アクチュエータ１０８の被検知部１１６が発光素子と受光素子との間に配置され、アクチュエータ１０８の変位を検出する。定着装置本体８８には、この検知部１１０の上下に開口部１２６ａ，１２６ｂが形成され、前述した空気流が該検知部１１０に導かれるようにしてある。
【００３４】したがって、入口側シュート９８に導かれてニップ部９４へ入ったシートは、該ニップ部９４において圧力と熱を受けて通過し、該シートの先端が出口側シュート１００ａ，１００ｂに当ろうとする瞬間にアクチュエータ１０８のシート当接部１１２に当接し、アクチュエータ１０８が弾性部材１２２に抗して回動軸１１４を中心として回動し、被検知部１１６が検知部１１０から外れ、検知部１１０では発光素子からの光を受光素子が受けることによりシートの先端が通過したことを検出する。一方、シートがヒートロール９０に巻き付き、剥離爪１０４によっても剥離されなかった場合には、所定時間内にシートの先端がシート当接部１１２に当接せず、アクチュエータ１０８の変位がなく、検知部１１０の発光素子からの光がアクチュエータ１０８の被検知部１１６により遮断して受光素子に到達しないことをもってシートジャムと判断する。
【００３５】図８において、上記画像形成装置における制御回路の一部が示されている。主制御回路１２８には、上述した検知部１１０からのオンオフ信号を含めて種々の信号が入力される。この主制御回路１２８においては、入力信号から制御信号を生成し、画像形成装置の各部を制御し、これには電源制御回路１３０とレジストロールの駆動モータ１３２とを含む。電源制御回路１３０は、前述した前述した電源装置７６を制御し、ヒートロール９０のヒータ９６を始めとする各部への電源供給を制御している。
【００３６】図９において、上記主制御回路１２８におけるシート検出に関する制御フローが示されている。まずステップＳ１０において、所定タイミングをもってレジストロールを駆動し、このレジストロールの駆動開始をもってカウンタ又はタイマを作動させる。次のステップＳ１２においては、レジストロールの駆動開始から所定時間経過しているか否かを判定する。このステップＳ１２において所定時間経過していないと判定された場合は、次のステップＳ１４に進み、検知部がシートを検知したか否かを検知し、シートが検知されない場合はステップＳ１２に戻り、所定時間内に検知部によりシートが検出されるのを監視する。ステップＳ１４でシートを検知した場合は、所定時間内にシートの先端が定着装置を通過したことになるので、正常として処理を終了する。一方、ステップＳ１２において、所定時間が経過したと判定された場合は、所定時間経過してもシートの先端が定着装置を通過していないので、シートがヒートロールへ巻き付く等のシートジャムが生じたとして電源制御回路１３０に電源遮断信号を送出し、電源装置７６からの電源供給を遮断する。これによりヒートロールのヒータを含めて電源供給が遮断されるので、安全を確保することができるものである。
【００３７】なお、上記実施例においては、レジストロールの回転開始時点をシート検出の開始点としたが、これに限定されるものではなく、他の実施例として、定着装置の上流側にシート検出装置をさらに設け、このシート検出装置によるシート検出を開始点としてもよい。
【００３８】
【発明の効果】以上述べたように、本発明によれば、定着装置に対向して配置されたシート検出手段により定着装置を通過するシートを検出するようにしたので、定着装置におけるシートジャムを速やかに検出し、安全性を確保することができるものである。
【図面の簡単な説明】
【図１】本発明の第１の実施形態における定着装置とその周辺部分を示す側面図である。
【図２】本発明の第２の実施形態における定着装置とその周辺部分を示す側面図である。
【図３】本発明の実施例に係る画像形成装置を示す側面図である。
【図４】本発明の実施例に係る画像形成装置に用いた定着装置ユニットを示す断面図である。
【図５】本発明の実施例に係る画像形成装置に用いた定着装置ユニットの主要部を示す斜視図である。
【図６】本発明の実施例に係る画像形成装置に用いたシート検出装置のアクチュエータを示す裏面側から見た斜視図である。
【図７】本発明の実施例に係る画像形成装置に用いたシート検出装置のアクチュエータを示す正面図である。
【図８】本発明の実施例に係る画像形成装置の制御回路を示す回路図である。
【図９】本発明の実施例に係る画像形成装置の主制御回路におけるシート検出に関する制御フローを示すフローチャートである。
【符号の説明】
１０    画像形成装置
１２    画像形成装置本体
１４    像形成手段
３２    搬送路
３４    排出口（通気孔）
３６    定着装置
３８    レジストロール
７０    第１の送風ファン
７２    第２の送風ファン
９０    ヒートロール
９２    プレッシャロール
１０６  シート検出装置
１０８  アクチュエータ
１１０  検知部
１１２  シート当接部
１１４  回動軸
１１６  被検知部
【図１】
2004191441.tif 000003
【図２】
2004191441.tif 000004
【図３】
2004191441.tif 000005
【図４】
2004191441.tif 000006
【図５】
2004191441.tif 000007
【図６】
2004191441.tif 000008
【図７】
2004191441.tif 000009
【図８】
2004191441.tif 000010
【図９】
2004191441.tif 000011